(57)【特許請求の範囲】
【請求項１】
発光装飾装置を備えた遊技機であって、
前記発光装飾装置は、該発光装飾装置の前面を覆う透光性を有する意匠レンズ体と、該意匠レンズ体の後側に配設されて当該意匠レンズ体に光を照射する複数の光源が配設されるランプ基板と、を備え、
前記意匠レンズ体と前記ランプ基板との間には、前記複数の光源のうち第１の光源の光を拡散透過させるように当該第１の光源から離れた位置に拡散レンズカット部が形成された平板状の拡散レンズ体と、該拡散レンズ体の範囲内に分散配置されると共に光を透過させるように後端部が前記複数の光源のうち第２の光源に近接して臨み且つ前端部が前記意匠レンズ体に近い位置に臨む棒状又は板状の光誘導体と、からなる光透過体が設けられ、
前記意匠レンズ体の前面は、前記拡散レンズ体を透過した光によって構成される第１発光領域の中で前記光誘導体を透過した光によって構成される第２発光領域がスポット的に照射された状態となることを特徴とする遊技機。
【請求項２】
請求項１に記載の遊技機であって、
前記第１の光源と前記第２の光源とが異なる色で発光することを特徴とする遊技機。
【請求項３】
請求項１又は２に記載の遊技機であって、
前記光透過体のうち、前記拡散レンズ体部分が前記意匠レンズ体で構成され、該意匠レンズ体と前記光誘導体とを透明又は半透明な合成樹脂により成形したことを特徴とする遊技機。
【請求項４】
請求項１〜請求項３のいずれか一項に記載の遊技機であって、
前記意匠レンズ体と前記ランプ基板との間には球が流れる球通路が形成され、
前記光誘導体は、少なくとも一部が前記球通路内に存在し且つ同球通路を流れる球に接触してその球の流速を減速させる減速機能を備えていることを特徴とする遊技機。
【発明の詳細な説明】
【０００１】
【発明の属する技術分野】
この発明は、パチンコ機（雀球機、アレンジボール機等も含む）のような弾球遊技機、スロットマシン等の遊技機に関する。
【０００２】
【従来の技術】
従来、例えば、パチンコ機において、遊技盤あるいは開閉扉等に発光装飾装置が配設されることが知られている。また、このような発光装飾装置は、意匠レンズ体と、その意匠レンズ体の後側に配設されて同意匠レンズ体に光を照射する光源（例えば、ＬＥＤ、ランプ等）とを備えているのが一般的である。た、光装飾効果を高めるために、意匠レンズ体のレンズカット形状を様々に工夫したり、あるいは、発光色が異なる複数の光源を配設したものも知られている。
【０００３】
【発明が解決しようとする課題】
ところで、意匠レンズ体のレンズカット形状を様々に工夫したり、あるいは、異なる発光色（例えば、赤色、青色、緑色等）の光を発する複数の光源を配設して光装飾効果を高めるには限界がある。例えば、複数の光源から異なる発光色の光を意匠レンズ体に照射しても、各発光色の光が互いに混ざり合い、意匠レンズ体の前面の発光領域（光が出射する領域）に所望とする発光色で発光しない不具合が生じる。
【０００４】
この発明の目的は、前記問題点に鑑み、意匠レンズ体の前面に、異なる発光態様の発光領域を略区画した状態で構成することができ、光装飾効果を高めることができる遊技機を提供することである。
【０００５】
【課題を解決するための手段】
前記目的を達成するために、第１の発明に係る遊技機は、請求項１に記載のとおりの構成を要旨とするものである。すなわち、発光装飾装置を備えた遊技機であって、発光装飾装置は、該発光装飾装置の前面を覆う透光性を有する意匠レンズ体と、該意匠レンズ体の後側に配設されて当該意匠レンズ体に光を照射する複数の光源が配設されるランプ基板と、を備える。意匠レンズ体とランプ基板との間には、複数の光源のうち第１の光源の光を拡散透過させるように当該第１の光源から離れた位置に拡散レンズカット部が形成された平板状の拡散レンズ体と、該拡散レンズ体の範囲内に分散配置されると共に光を透過させるように後端部が複数の光源のうち第２の光源に近接して臨み且つ前端部が意匠レンズ体に近い位置に臨む棒状又は板状の光誘導体と、からなる光透過体が設けられる。意匠レンズ体の前面は、拡散レンズ体を透過した光によって構成される第１発光領域の中で光誘導体を透過した光によって構成される第２発光領域がスポット的に照射された状態となる。したがって、光源から拡散レンズ体を透過して拡散した光は意匠レンズ体の前面の第１発光領域から出射する。これによって意匠レンズ体の前面の第１発光領域が発光状態となる。また、光源から光誘導体を透過した光は意匠レンズ体の第２発光領域から出射する。これによって、意匠レンズ体の前面の第２発光領域が発光状態となる。このようにして、意匠レンズ体の前面に、第１発光領域中に第２発光領域がスポット的に照射された状態で発光することによって光装飾効果が高められる。
【０００６】
また、第２の発明に係る遊技機は、請求項２に記載のとおりの構成を要旨とするもので、第１の光源と第２の光源とが異なる色で発光することにより、第１の光源と第２の光源とを、例えば、赤色、青色、緑色等の異なる色で発光するＬＥＤ、ランプ等の光源を用いることで、光装飾効果を一層高めることもできる。
【０００７】
第３の発明に係る遊技機は、請求項３に記載のとおりの構成を要旨とするもので、光透過体のうち、拡散レンズ体部分が意匠レンズ体で構成され、該意匠レンズ体と光誘導体とを透明又は半透明な合成樹脂により成形した。したがって、部品点数や組付工数が軽減され、コスト低減に効果が大きい。
【０００８】
【０００９】
【００１０】
【００１１】
第４の発明に係る遊技機は、請求項４に記載のとおりの構成を要旨とするもので、意匠レンズ体とランプ基板との間には球が流れる球通路が形成され、光誘導体は、少なくとも一部が球通路内に存在し且つ同球通路を流れる球に接触してその球の流速を減速させる減速機能を備えている。したがって、光誘導体は、球通路を流れる球に接触してその球の流速を減速させる減速機能を兼ね備えているため、球通路内に球の流速を減速させる専用の減速部材を配設する必要がなくなり、その分だけ構造を簡単化することができる。
【００１２】
【発明の実施の形態】
（実施の形態１）
この発明の実施の形態１を図１〜図４にしたがって説明する。遊技機としてのパチンコ機の遊技盤を正面（前面）から表した図１において、遊技盤１０の前面の周縁部には、外レール１２と内レール１３とを備えた案内レール１１が装着されている。案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。遊技盤１０の遊技領域１５の略中央部には役物装置４０（センター役物と呼ばれることもある）が装着されとともに、役物装置４０の上下左右側方の計４箇所に風車器１８がそれぞれ配設されている。また、遊技盤１０の遊技領域１５には、その役物装置４０の片側（図１に向かって左側）に位置して普通図柄始動用ゲート口を有するゲート器２０が設けられている。
【００１３】
また、遊技盤１０の遊技領域１５には、役物装置４０の下方中央部に位置しかつ開閉部材２８による可変始動口２６を備えた始動用入賞器としての入球装置２５が配設されている。この入球装置２５の可変始動口２６に球が流入すると、後述する図柄表示装置４３が作動するようになっている。なお、球がゲート器２０の普通図柄始動用ゲート口を通過することで、後述する普通図柄表示部４５が作動して普通図柄の抽選が行われる。そして、普通図柄表示部４５の抽選に基づいて、入球装置２５の開閉部材２８が所定時間（例えば、１秒間）開放し、これによって入球装置２５の可変始動口２６に対し球が流入し易くなるようになっている。
【００１４】
また、遊技盤１０の遊技領域１５には、その入球装置２５の下方に位置してアタッカ装置３０が装着されている。このアタッカ装置３０には、その略中央部に開閉扉３１によって開閉される大入賞口３２が設けられている。また、遊技盤１０の遊技領域１５には、その最下端に位置しかつアタッカ装置３０の下方においてアウト口３３が形成され、さらに、アタッカ装置３０の左右両側方に位置して装飾用レンズ３６を有するサイド装飾部材３５が配設されている。これらサイド装飾部材３５の所定位置には一般入賞口３７が設けられている。なお、遊技領域１５の略全域にわたって多数の釘（図示しない）が配設されている。
【００１５】
図２に示すように、役物装置４０は、本体構成部材４１、図柄表示装置４３及び発光装飾装置６０を備えている。役物装置４０の本体部をなす本体構成部材４１は、複数又は単数の構成部材によって形成され、遊技盤１０の略中央部に貫設された役物装着孔の前面開口部の周縁を塞ぐようにして枠状に構成され、略中央部には開口窓４２が形成されている。そして、本体構成部材４１はビス等によって遊技盤１０の前方からその遊技盤１０の前面に取り付けられるようになっている。また、本体構成部材４１の後側には、その開口窓４２に表示部４４を臨んで図柄表示装置４３が装着されている。この図柄表示装置４３の表示部４４の略全域には、特別図柄が変動表示される特別図柄表示領域が設けられている。また、表示部４４の一部には、普通図柄が変動表示される普通図柄表示部４５が設けられている。
【００１６】
また、本体構成部材４１には、遊技領域１５を流れる球が流入可能な流入口５１を有する球通路５０（ワープ通路と呼ばれることもある）が形成されている。この実施の形態１において、球通路５０の流入口５１は、本体構成部材４１の上部に形成されている。そして、球通路５０は、流入口５１から開口窓４２の片側上部に沿って傾斜状に形成された傾斜通路部５０ａと、その傾斜通路部５０ａの下傾端から開口窓４２の片側（図２に向かって左側）に沿って形成された縦通路部５０ｂとを連通状に備えている。この縦通路部５０ｂの下端部は、開口窓４２の片側下端近傍において開口し、当該開口部を流出口５２としている。図２に示すように、本体構成部材４１の下部には、球通路５０の流出口５２から流出した球を受ける球受け棚５３が形成されている。
この球受け棚５３は、球通路５０の流出口５２から流出した球を受ける波形凹凸状をなす上段部５５と、その上段部５５から流下した球を受ける波形凹凸状をなす下段部５６とを備えて上下２段に構成されている。そして、下段部５６の中央部には、球を流下案内する案内凹部５７が形成されている。この案内凹部５７は、入球装置２５の可変始動口２６の直上に位置しており、案内凹部５７に案内されて流下した球が可変始動口２６に流入する確率が高くなるように構成されている。
【００１７】
さて、図２〜図４に示すように、本体構成部材４１の一部には、透明又は半透明の合成樹脂よりなり透光性を有する意匠レンズ体６１と、その意匠レンズ体６１の後側に配設されて同意匠レンズ体６１に光を照射する光源９０とを備えた発光装飾装置６０が設けられている。また、意匠レンズ体６１と光源９０との間には、同光源９０の光を拡散透過させる拡散透過手段７０と、光の拡散を防止しながら透過させる拡散防止透過手段８０とがそれぞれ設けられている。そして、意匠レンズ体６１の前面には、拡散透過手段７０を透過した光によって構成される第１発光領域６５と、拡散防止透過手段８０を透過した光によって構成される第２発光領域６７とが略区画された状態でそれぞれ設けられる。
【００１８】
この実施の形態１において、本体構成部材４１には、発光装飾装置６０が組み付けられる凹部（空間部）が形成されている。そして、この凹部に発光装飾装置６０が組み付けられることによって、球通路５０の縦通路部５０ｂの前後の壁部が形成されるようになっている。すなわち、発光装飾装置６０の意匠レンズ体６１は縦通路部５０ｂの前側壁部を構成している。また、本体構成部材４１の凹部の奥側壁部の前側には、拡散透過手段７０に光を発する複数の第１の光源９１と、拡散防止透過手段８０に光を発する複数の第２の光源９２とがそれぞれ配設されている。また、各複数の第１の光源９１と第２の光源９２は、ＬＥＤ、ランプ等よりなりランプ基板９５上にそれぞれ配設されている。そして、これら第１の光源９１及び第２の光源９２によって光源９０が構成されるようになっている。また、複数の第１の光源９１及び第２の光源９２は、赤色、青色、緑色等の異なる色で発光するＬＥＤ、ランプ等を用いることも可能である。
【００１９】
図３と図４に示すように、拡散透過手段７０は、第１の光源９１の光を拡散透過させる拡散レンズ体７１によって構成され、この拡散レンズ体７１は、縦通路部５０ｂの後側壁部を構成するようにして本体構成部材４１の凹部の所定位置に装着されている。また、拡散レンズ体７１の前後両面のうち、少なくとも片側面（図３では左側面、すなわち前側面）には第１の光源９１の光を拡散透過させる拡散レンズカット部７２が形成されている。
【００２０】
図２〜図４に示すように、拡散防止透過手段８０は、透明又は半透明の合成樹脂よりなり透光性を有する棒状又は板状の光誘導体８１によって構成されている。また、この実施の形態１において、拡散レンズ体７１と、複数の光誘導体８１とが一体に形成されている。そして、拡散レンズ体７１の後面からそれぞれ突出している複数の光誘導体８１の後側部分は、その後端部が第２の光源９２にそれぞれ近接して臨んでいる。また、拡散レンズ体７１の前面からそれぞれ突出している複数の光誘導体８１の前側部分の前端部は、意匠レンズ体６１の第２発光領域６７に球が通過可能な隙間を隔てて臨んでいる。すなわち、複数の光誘導体８１の前側部分は、球通路５０の縦通路部５０ｂ内にそれぞれ突出して存在している。そして、複数の光誘導体８１は、縦通路部５０ｂを流れる球Ｂに接触してその球Ｂの流速を減速させる減速機能を兼ね備えている。また、意匠レンズ体６１の前面には、その略全域において複数の第１の光源９１からそれぞれ発せられかつ拡散レンズ体７１を透過して拡散した光によって第１発光領域６５が設けられる。さらに、複数の第２の光源９２からそれぞれ発せられかつ各光誘導体８１を略直線状に透過した光によって複数の第２発光領域６７が第１発光領域６５内にスポット的に設けられる。
【００２１】
また、この実施の形態１において、図２に示すように、発光装飾装置６０の意匠レンズ体６１の上端部に隣接して意匠レンズ体１６１（図２において略円形をなす意匠レンズ体）を有する別の発光装飾装置１６０が配設されている。この発光装飾装置１６０においても、前記発光装飾装置６０と同様にして、意匠レンズ体１６１、光源（図示しない）、拡散レンズ体（図示しない）及び複数の棒状の光誘導体１８１をそれぞれ備えて構成されている。なお、意匠レンズ体６１と意匠レンズ体１６１とを一体に形成することも可能であるが、それぞれ別個に形成してから一体状に形成することも可能である。さらに、意匠レンズ体６１と意匠レンズ体１６１とを所定の距離を隔てて配設することも可能である。
【００２２】
この実施の形態１に係る遊技機としてのパチンコ機は上述したように構成される。したがって、パチンコ遊技の際、図示しない球発射装置から球発射通路１４に発射された球（パチンコ球）は、遊技領域１５の上部に打ち出され、多数の釘、風車器１８等に案内されながら遊技領域１５の下部に向けて流れる。遊技領域１５に打ち出された球のうち、一部の球はゲート器２０の普通図柄始動用ゲート口を通過したり、あるいは、一般入賞口３７等の入球口に流入する。また、遊技領域１５に打ち出された球のうち、一部の球はワープ通路なす球通路５０の流入口５１から流入して球通路５０を流れ、その流出口５２から球受け棚５３上に落下する。そして、球受け棚５３上に落下した球は、まず上段部５５の波形凹凸部に沿って左右方向に揺動しながら下段部５６に落下する。そして、下段部５６おいても、その波形凹凸部に沿って左右方向に揺動しながら落下する。また、下段部５６の案内凹部５７に案内された球は、高確率で入球装置２５の可変始動口２６に流入する。また、前記各入球口に流入しなかった多くの球は遊技領域１５の下部のアウト口３３に流入し、機外に排出される。
【００２３】
球がゲート器２０の普通図柄始動用ゲート口を通過すると、その球がセンサによって検出され、その検出信号が主制御装置（図示しないがパチンコ機の所定位置に設置される）に送られる。すると、その信号が図柄表示装置４３に伝達され、その表示部４４の一部に設けられた普通図柄表示部４５の図柄が変動する。そして普通図柄表示部４５には、抽選結果に基づく図柄が表示される。普通図柄表示部４５の図柄が当たり図柄となって表示されると、入球装置２５の可変始動口２６の開閉部材２８が所定時間（例えば、１秒間）開放して閉じる。入球装置２５の可変始動口２６に球が流入すると、その球がセンサによって検出され、その検出信号が主制御装置に送られる。
すると、その信号が図柄表示装置４３に伝達され、これによって表示部４４に表示された図柄が変動し、設定時間後停止する。そして、表示部４４には抽選結果に基づく図柄が表示される。
【００２４】
表示部４４に表示された図柄が「大当たり図柄」、例えば「７・７・７」となって停止した場合、大当たりとなる。すると、アタッカ装置３０の開閉扉３１によって大入賞口３２が開かれる。大入賞口３２に球が１０個流入するか、あるいは、３０秒経過すると、開閉扉３１によって大入賞口３２が閉じられる。大入賞口３２の開放時において、その大入賞口３２に設けられた特定領域に球が入ると、開閉扉３１によって大入賞口３２が一旦閉じた後、再び開く。開閉扉３１によって大入賞口３２が所定回数（例えば、最大１６回）開閉を繰り返すことで、大当たり遊技が終了する。
【００２５】
さて、パチンコ遊技の際、主制御基板から伝達される信号に基づいて図示しないランプ制御基板を介して光源９０としての複数の第１の光源９１及び第２の光源９２が点灯、あるいは点滅制御される。複数の第１の光源９１が発する光は、拡散透過手段７０としての拡散レンズ体７１を透過して拡散し、意匠レンズ体６１の前面の略全域に設定される第１発光領域６５から出射する。言い換えると、意匠レンズ体６１の前面の第１発光領域６５が発光状態となる。また、複数の第２の光源９２が発する光は、拡散防止透過手段８０としての複数の光誘導体８１を略直線状態で透過し、意匠レンズ体６１の複数の第２発光領域６７からそれぞれ出射する。言い換えると、意匠レンズ体６１の前面の複数の第２発光領域６７がそれぞれ発光状態となる。このようにして、意匠レンズ体６１の前面に、第１発光領域６５と第２発光領域６７とがそれぞれ略区画された状態で設けられることによって光装飾効果を高めることができる。
【００２６】
また、この実施の形態１において、意匠レンズ体６１の前面には、第１発光領域６５内に、複数の第２発光領域６７がスポット的に設けられるため、光装飾効果を一層高めることができる。また、例えば、意匠レンズ体６１を乳白色とし、第１の光源９１と第２の光源９２とを赤色、青色、緑色等の異なる色で発光するＬＥＤ、ランプ等を用いることによって光装飾効果を一層高めることもできる。
【００２７】
また、パチンコ機の起動スイッチがＯＮの状態にあるときに、複数の第１の光源９１及び第２の光源９２が点灯状態に保持されるようにしてもよく、また、複数の第１の光源９１及び第２の光源９２のうち、少なくとも一方の光源を所定周期で点滅するようにしてもよい。また、複数の第１の光源９１及び第２の光源９２の点灯・点滅時期を図柄表示装置４３の表示部４４の図柄変動に関連して設定することもできる。この場合には、演出効果を高めることが可能となる。例えば、パチンコ遊技時において、図柄表示装置４３の表示部４４の図柄が変動する直前あるいは直後、あるいはリーチ状態となったとき、あるいは大当たりとなったときに、主制御装置から伝達される信号に基づいて複数の第１の光源９１及び第２の光源９２のうち、少なくとも一方の光源を点滅させるように設定することも可能である。すなわち、図柄表示装置４３の表示部４４の図柄が変動する直前あるいは直後、あるいはリーチ状態となったとき、複数の第１の光源９１及び第２の光源９２のうち、少なくとも一方の光源を点滅させることで、光装飾を高め、これによって遊技の演出効果を高めることが可能となる。また、図柄表示装置４３の表示部４４に表示された図柄が大当たりとなったときあるいは大当たり遊技終了直後において、複数の第１の光源９１及び第２の光源９２のうち、少なくとも一方の光源が点滅したときに、確率変動となるように設定しておくことにより、遊技の興趣を一層高めることが可能となる。
【００２８】
また、この実施の形態１において、拡散防止透過手段８０を構成する複数の光誘導体８１の前側部分は、それぞれ球通路５０の縦通路部５０ｂ内に突出して存在している。そして、複数の光誘導体８１は、縦通路部５０ｂを流れる球Ｂに接触してその球Ｂの流速を減速させる減速機能を兼ね備えている。このため、球通路５０の縦通路部５０ｂ内に球Ｂの流速を減速させる専用の減速部材を配設する必要がなくなり、その分だけ構造を簡単化することができる。
【００２９】
また、この実施の形態１において、図３に示すように、意匠レンズ体６１の後側面（すなわち、球通路５０の縦通路部５０ｂの前側内壁面）には、上下隣接する光誘導体８１の中間部において縦通路部５０ｂに向けて突出する円弧状の凸部６８が形成されている。さらに、意匠レンズ体６１の凸部６８の後端と光誘導体８１の前端との前後方向の間隔寸法Ｌは、球Ｂの直径寸法Ｄよりも適宜に小さく設定されている。そして、球通路５０の縦通路部５０ｂを流れる球Ｂは、光誘導体８１の前端部と、意匠レンズ体６１の凸部６８とに交互に接触して蛇行状に流れる。このため、球Ｂの流速を効率よく減速することができる。
【００３０】
なお、この発明は前記実施の形態１に限定するものではなく、例えば、図５〜図９に示す実施の形態２〜４のように変更してもよい。
（実施の形態２）
図５〜図７に示す実施の形態２においては、本体構成部材４１の凹部（空間部）に組み付けられる発光装飾装置６０において、その意匠レンズ体６１の前面には、複数の第２発光領域６７に対応する複数箇所に貫通孔がそれぞれ形成されている。一方、拡散防止透過手段８０としての複数の光誘導体８１の前端部は、球通路５０の縦通路部５０ｂを通しかつ意匠レンズ体６１の各貫通孔を貫通して同意匠レンズ体６１の前面から若干突出している。また、この実施の形態２において、複数の光誘導体８１は、縦通路部５０ｂに対する球の流れは許容しかつ縦通路部５０ｂを流れる球に接触してその球を蛇行状に流下させて減速させるように配設されている。
すなわち、図５に示すように、複数の光誘導体８１は、逆ハの字状をなすにして斜め傾斜をなして左右に対向するとともに、上下方向にそれぞれ複数対配設されている。しかも、左側と右側の光誘導体８１の各下端部の高さ位置が所定高さだけ上下に位置ずれしている。
【００３１】
また、この実施の形態２においても、図５に示すように、発光装飾装置６０の意匠レンズ体６１の上端部に隣接して意匠レンズ体１６１（図において略円形をなす意匠レンズ体）を有する別の発光装飾装置１６０が配設されている。この発光装飾装置１６０においても、前記発光装飾装置６０と同様にして、意匠レンズ体１６１、光源（図示しない）、拡散レンズ体（図示しない）及び複数又は単数の棒状の光誘導体１８１をそれぞれ備えて構成されている。そして、意匠レンズ体１６１においても、第２発光領域に対応する箇所に貫通孔がそれぞれ形成される一方、光誘導体１８１の前端部が、球通路５０の縦通路部５０ｂの上部を通しかつ意匠レンズ体６１の貫通孔を貫通して同意匠レンズ体１６１の前面から若干突出している。
【００３２】
この実施の形態２のその他の部分は、実施の形態１と略同様に構成されるため、同一構成部分に対し同一符号を付記してその説明は省略する。したがって、この実施の形態２においても実施の形態１と略同様の作用効果を奏する。
【００３３】
（実施の形態３）
図８の（Ａ）及び（Ｂ）に示す実施の形態３においては、拡散防止透過手段８０を構成する複数の光誘導体８１が横断面形状が円形、楕円形、四角形、三角形、多角形、星形等の形状をなして棒状に形成されかつ縦通路部５０ｂを流れる球に接触してその球の流速を減速させるように適宜に配列されたものである。この実施の形態３のその他の構成は実施の形態１と略同様にして構成されるため、同一構成部分に対し同一符号を付記してその説明は省略する。したがって、この実施の形態２においても実施の形態１と略同様の作用効果を奏する。
【００３４】
（実施の形態４）
図９の（Ａ）及び（Ｂ）に示す実施の形態４においては、意匠レンズ体６１の前面と後面との少なくとも一方の面に拡散透過手段７０としての拡散レンズカット部６２が形成されている。また、意匠レンズ体６１の後面には、拡散防止透過手段８０を構成する複数の光誘導体８１が、意匠レンズ体６１と一体に形成されてかつ縦通路部５０ｂを流れる球に接触してその球の流速を減速させるように適宜に配列されたものである。そして、各光誘導体８１の後端部が第２の光源９２に近接して臨んでいる。この実施の形態４のその他の構成は実施の形態１と略同様にして構成されるため、同一構成部分に対し同一符号を付記してその説明は省略する。したがって、この実施の形態４においては、意匠レンズ体６１に拡散レンズカット部６２と複数の光誘導体８１が形成されるため、部品点数や組付工数が軽減され、コスト低減に効果が大きい。なお、前記実施の形態４において、拡散防止透過手段８０を構成する複数の光誘導体８１を意匠レンズ体６１と別体に形成して意匠レンズ体６１と光源９０との間に配設することも可能である。但し、この場合、複数の光誘導体８１を適宜連結部材によって連結し、本体構成部材４１に固定することが望ましい。
【００３５】
また、前記実施の形態１〜４においては、意匠レンズ体６１と光源９０との間に球通路５０（縦通路部５０ｂ）が構成される場合を例示したが、球通路５０を構成することなく、単に発光装飾装置６０として構成することも可能である。また、この発明の発光装飾装置６０は、遊技盤１０に装着される役物装置４０に設置される他、遊技盤１０の適宜位置に役物装置４０とは独立して配設することも可能である。また、パチンコ機の前側に装着される開閉扉等に配設することも可能である。さらに、この発明の発光装飾装置６０は、パチンコ機以外の遊技機、例えばスロットマシンにおいても採用することが可能である。
【００３６】
【発明の効果】
以上述べたように、この発明によれば、意匠レンズ体の前面に、異なる発光態様の第１発光領域と第２発光領域とを略区画した状態で照射することができ、光装飾効果を高めることができる。
【図面の簡単な説明】
【図１】  この発明の実施の形態１に係る遊技機としてのパチンコ機の遊技盤を示す正面図である。
【図２】  同じく発光装飾装置を備えた役物装置を拡大して示す正面図である。
【図３】  同じく図２の■−■線に基づく発光装飾装置の縦断面図である。
【図４】  同じく発光装飾装置の意匠レンズ体に第１発光領域と第２発光領域とが区画形成された状態を示す縦断面図である。
【図５】  この発明の実施の形態２の発光装飾装置を備えた役物装置を拡大して示す正面図である。
【図６】  同じく図５の■−■線に基づく発光装飾装置の縦断面図である。
【図７】  同じく発光装飾装置の意匠レンズ体に第１発光領域と第２発光領域とが区画形成された状態を示す縦断面図である。
【図８】  図８の（Ａ）はこの発明の実施の形態３の発光装飾装置の縦断面図、（Ｂ）は正断面図である。
【図９】  図９の（Ａ）はこの発明の実施の形態４の発光装飾装置の縦断面図、（Ｂ）は正断面図である。
【符号の説明】
１０  遊技盤
４０  役物装置
４３  図柄表示装置
４４  表示部
５０  球通路
６０  発光装飾装置
６１  意匠レンズ体
６２  拡散レンズカット部
６５  第１発光領域
６７  第２発光領域
７０  拡散透過手段
７１  拡散レンズ体
７２  拡散レンズカット部
８０  拡散防止透過手段
８１  光誘導体
９０  光源
９１  第１の光源
９２  第２の光源
【図１】
0004189526.tif 000002
【図２】
0004189526.tif 000003
【図３】
0004189526.tif 000004
【図４】
0004189526.tif 000005
【図５】
0004189526.tif 000006
【図６】
0004189526.tif 000007
【図７】
0004189526.tif 000008
【図８】
0004189526.tif 000009
【図９】
0004189526.tif 000010